(57)【要約】    【課題】この発明は、ケーブルの位置決め配置性を向上させるとともに、ケーブル再配列等のリワーク作業を可及的に低減させるようにした電気コネクタを提供する。    【解決手段】ケーブルと接続される導電端子１２と、該導電端子１２を配設した絶縁体のハウジング２１とを少なくとも有する電気コネクタ２０において、前記ハウジング２１に前記導電端子１２上に配設された前記ケーブル５を切断するための刃物が嵌挿する刃物ガイド溝３１を形成するようにした。    【選択図】  図１
2005302367.tif 000002
【特許請求の範囲】
【請求項１】
ケーブルと接続される導電端子と、該導電端子を配設した絶縁体のハウジングとを少なくとも有する電気コネクタにおいて、
前記ハウジングに前記導電端子上に配設された前記ケーブルを切断するための刃物が嵌挿する刃物ガイド溝を形成するようにしたことを特徴とする電気コネクタ。
【請求項２】
前記ハウジングには前記ケーブルを分離させるケーブル分離突起が突設されていることを特徴とする請求項１に記載の電気コネクタ。
【発明の詳細な説明】
【技術分野】
【０００１】
この発明は、ケーブルとケーブル、あるいはケーブルと印刷配線基板等を電気的に接続するケーブル接続用の電気コネクタに関し、特にケーブルと接続される電気コネクタのハウジングの改良に関する。
【背景技術】
【０００２】
従来から、ケーブルとケーブル、あるいはケーブルと印刷配線基板等を接続する電気コネクタとしては各種のものが使用されているが、電気コネクタに配設された導電端子とケーブルとの電気的接続は半田付け接続により行なわれている。
【０００３】
図６は電気コネクタに接続されるケーブル１の概念斜視図で、このケーブル１は、複数本の同軸ケーブル２を所定のピッチでその幅方向に配設したケーブル本体３からなり、このケーブル本体３の先端側には後述する電気コネクタの各接続端子に対する同軸ケーブル２の位置決めを行なうとともに各同軸ケーブル２の外部導体と電気的に接続する導電性の位置決め部材４が配設されている。
【０００４】
またこの位置決め部材４の先端には、接続対象となる同軸ケーブル２の複数本の中心導体５を予め露出させた中心導体露出部Ａが形成され、その先端には複数本の各同軸ケーブル２を所定のピッチで整列させるためのラミネートテープ６が貼着されている。
【０００５】
このケーブル１を電気コネクタに接続させるためには、まず図７で示すように予めケーブル１の中心導体露出部Ａを切断し、それにより複数本の各中心導体５の長さを一定にして、先端が自由端の中心導体５を形成する。
【０００６】
一方、接続対象となる従来の電気コネクタ１０は、図８で示すように、プラスチック等の合成樹脂で形成された絶縁体のハウジング１１と、このハウジング１１の幅方向に沿って所定のピッチで配設された複数本の導電端子１２とから構成され、この導電端子１２はハウジング１１の幅方向に沿って所定のピッチで互いに隣接するよう形成された収容部１３内にそれぞれ位置決め配置されている。
【０００７】
そして、予め所定長に切断したケーブル１の各中心導体５を対応する各導電端子１２にそれぞれ接続するには、図８で示すように、ケーブル１の各中心導体５を電気コネクタ１０の対応する接続端子１２上に位置決め載置し、しかる後、図示せぬパルスヒートのヒータチップにより複数本の中心導体５と、これに対応する複数本の導電端子１２の各半田付け部１２ａとを一括して半田付けして接続する。なおオペレータによる手半田により導電端子１２と中心導体５とをそれぞれ一本づつ半田付けして接続する場合もある。
【発明の開示】
【発明が解決しようとする課題】
【０００８】
ところで、上述した従来の電気コネクタ１０によると、図８で示すように、先端が自由端となったケーブル１の各中心導体５を電気コネクタ１０の対応する接続端子１２上に載置する間に、当該中心導体５が変形し曲がってしまう場合がある。この場合、その状態のままで半田付けして接続すると、変形した中心導体５によって導電端子１２間で短絡が発生する虞がある。  
そこで、従来では上述した中心導体５の変形が発見されると、再び中心導体５を再整列させてから当該中心導体５を導電端子１２に載置する作業、即ちリワークを行なわねばならない問題点があった。
【０００９】
この発明は、上述した事情に鑑み、ケーブルの位置決め配置性を向上させるとともに、ケーブル再配列等のリワーク作業を可及的に低減させるようにした電気コネクタを提供することを目的とする。
【課題を解決するための手段】
【００１０】
上述した課題を解決するため、この発明では、ケーブルと接続される導電端子と、該導電端子を配設した絶縁体のハウジングとを少なくとも有する電気コネクタにおいて、前記ハウジングに前記導電端子上に配設された前記ケーブルを切断するための刃物が嵌挿する刃物ガイド溝を形成するようにしている。
【発明の効果】
【００１１】
上述した、本願発明の電気コネクタによると、絶縁ハウジングに、導電端子上に配設されたケーブルを切断するための刃物が嵌挿する刃物ガイド溝を形成するようにしたので、ケーブルの中心導体を予め切断することなく当該中心導体を対応する導電端子に配置して半田付け処理を施した後、刃物ガイド溝内に刃物を嵌挿させて中心導体を切断すればよいので、ケーブルの中心導体を電気コネクタの対応する接続端子上に載置する間に、当該中心導体が変形し曲がってしまう虞を可及的に排除することができ、これによりケーブルの位置決め配置性を向上させるとともに、ケーブル再配列等のリワーク作業を可及的に低減させて、製造効率を高めた電気コネクタを提供することができる。
【発明を実施するための最良の形態】
【００１２】
以下、この発明に係る電気コネクタの一実施例を詳述する。
【００１３】
図１はこの発明に係る電気コネクタ２０を示す要部破断概念斜視図である。
【００１４】
この実施例の電気コネクタ２０は図示せぬリセプタクルに嵌着してケーブルを電気的に接続するプラグタイプのコネクタである。
【００１５】
この電気コネクタ２０も、従来と同様にプラスチック等の合成樹脂で形成された絶縁体のハウジング２１と、このハウジング２１の幅方向に沿って所定のピッチで配設された複数本の導電端子１２とから構成されている。
【００１６】
また、この各導電端子１２は、ハウジング２１の幅方向に沿って所定のピッチで互いに隣接するよう形成された収容凹部２３内にそれぞれ位置決め配置されている。    
この導電端子１２は図示せぬリセプタクルの対応する導電端子と圧接して電気的に接続する接続部１２ｂと、後述するケーブルの中心導体と半田付けされる半田付け部１２ａとから構成され、また接続部１２ｂと半田付け部１２ａとの間には、当該半田付け部１２ａを上面として、下方へ折れ曲がる断面Ｕ字形状の湾曲部１２ｃが形成されている。
【００１７】
一方、この電気コネクタ２０の収容凹部２３内には、前記導電端子１２の半田付け部１２ａをその底面２３ａから上方へ一定距離離間させる円柱形状の突起２３ｂが一体に形成され、この突起２３ｂにより導電端子１２の半田付け部１２ａは水平に支持され、またこの導電端子１２の半田付け部１２ｂの下面に位置する凹部２３内に空間部２３ｃを形成している。
【００１８】
また、前記収容凹部２３を形成する壁体２３ｄには、突起２３ｂと対向する位置に切り欠２３ｅが形成されている。
【００１９】
また、上述した絶縁ハウジング２１の上面であって、前記収容凹部部２３の壁体２３ｄには、後述するパルスヒートのヒータチップが嵌挿する凹部３０が形成され、さらにその前方に位置する壁体２３ｄには前記導電端子１２上に配設されたケーブルを切断するための刃物が嵌挿する刃物ガイド溝３１が形成されている。
【００２０】
さらに、この刃物ガイド溝３１の前方に位置する絶縁ハウジング２１のコネクタ嵌合側Ｂにも、所定ピッチで配列されるケーブルの配列が乱れないようケーブルを分離させるケーブル分離突起４０が突設されている。
【００２１】
次に上述した電気コネクタ１０の作用を説明する。
【００２２】
図２で示すように、先端にラミネートテープ６が貼着され、かつ各中心導体５が予め所定のピッチ間隔で露出したケーブル１の中心導体露出部Ａを、従来の如く予め所定長に切断することなく対応する導電端子１２の半田付け部１２ａに載置する。
【００２３】
その際、各中心導体５はケーブル分離突起４０により、その分離配列が維持される。
【００２４】
このように、ケーブル１の中心導体露出部Ａを導電端子１２の半田付け部１２ａに載置した後、図２の要部破断面図で示す図３のように、上方からパルスヒートのヒータチップ５０を凹部３０内に下降させ、複数本の中心導体５と対応する各導電端子１２の半田付け部１２ａとを一括して半田付け接続する。
【００２５】
その際、半田の余分なフラックス、および余分な半田は、導電端子１２の湾曲部１２ｃ内に移動してそこに溜まり、あるいは、ハウジング２１の各収容凹部２３と導電端子１２との間に形成された隙間、あるいは切り欠２３ｅを介して空間部２３ｃ内に流れてそこに溜まり、このため導電端子１２の接続部１２ｂ側へ移動することが阻止されて、コネクタ２０の接続不良を可及的に防止する。
【００２６】
このように、複数本の導電端子１２の半田付け部１２ａと対応する複数本の中心導体５との半田付け作業の終了後、図４で示すように上方からケーブル切断用の刃物６０を下降させると、当該刃物６０は刃物ガイド溝３１を介して中心導体５の直径方向の下端に達し、これにより導電端子１２の半田付け部１２ａに半田付け接続された複数本の中心導体５を全て一括切断する。なお、上述した刃物ガイド溝３１の下端は中心導体５の直径方向の下端に達していることはいうまでもない。
【００２７】
一方、刃物ガイド溝３１の下方に位置する導電端子１２には前述したように断面Ｕ字形状の湾曲部１２ｃが形成されており、このためケーブルを切断する刃物６０により、誤って導電端子１２を切断する等の損傷を与えることはない。
【００２８】
従って、刃物６０による中心導体５の一括切断処理の後は、図５で示すように、複数本の中心導体５が一括して所定の長さに切断され、さらに図３で示すように前もって導電端子１２の半田付け部１２ａと中心導体５とは半田付けして固定されているから、中心導体５が変形して曲がった状態で半田付け接続される虞はなく、従って、変形した中心導体５によって導電端子１２間で短絡が発生する虞は可及的に排除されることとなる。
【００２９】
なお、上記実施例では、ケーブルとして同軸ケーブルを採用したが、単線等のいかなるタイプのケーブルにも適用できることはいうまでもない。
【産業上の利用可能性】
【００３０】
以上説明したように、この発明は、ケーブル再配列等のリワーク作業を可及的に低減させて、製造効率を高めた電気コネクタに適している。
【図面の簡単な説明】
【００３１】
【図１】図１はこの発明に係る電気コネクタの要部破断概念斜視図。
【図２】図２はケーブルを装着した状態を示す要部破断概念斜視図。
【図３】図３はこの発明に係る電気コネクタの作用を示す要部破断面図。
【図４】図４はこの発明に係る電気コネクタの作用を示す要部破断面図。
【図５】図５はこの発明に係る電気コネクタの作用を示す要部破断面図。
【図６】図６はケーブルの要部破断概念斜視図。
【図７】図７はケーブルの要部破断概念斜視図。
【図８】図８は従来の電気コネクタの要部破断概念斜視図。
【符号の説明】
【００３２】
１、 ５…ケーブル
１２…導電端子
２０…電気コネクタ
２１…ハウジング
３１…刃物ガイド溝
４０…ケーブル分離突起
６０…刃物
【図１】
2005302367.tif 000003
【図２】
2005302367.tif 000004
【図３】
2005302367.tif 000005
【図４】
2005302367.tif 000006
【図５】
2005302367.tif 000007
【図６】
2005302367.tif 000008
【図７】
2005302367.tif 000009
【図８】
2005302367.tif 000010